(57)【要約】  本発明の実施例は、ＣＳＩ−ＲＳの送信方法、ＣＳＩ検出方法、基地局及び移動局を提供する。本発明実施例によるチャネル状態情報参照信号（ＣＳＩ−ＲＳ）の送信方法は基地局によって実行され、複数のＣＳＩ−ＲＳ初期リソース設定に対してアグリゲーションを行うことでＣＳＩ−ＲＳアグリゲーションリソース設定を得ることと、前記ＣＳＩ−ＲＳアグリゲーションリソース設定における第１部分のリソース設定を使用し、第１密度で前記アンテナアレイにおける第１のアンテナポートのＣＳＩ−ＲＳを送信することと、前記ＣＳＩ−ＲＳアグリゲーションリソース設定における第２部分のリソース設定を使用し、第２密度で前記アンテナアレイにおける第２のアンテナポートのＣＳＩ−ＲＳを送信すること、を含む。
2019516327.tif 000002
【特許請求の範囲】
【請求項１】
アンテナアレイを有する基地局によって実行されるチャネル状態情報参照信号（ＣＳＩ−ＲＳ）の送信方法であって、
複数のＣＳＩ−ＲＳ初期リソース設定に対してアグリゲーションを行うことで、ＣＳＩ−ＲＳアグリゲーションリソース設定を得ることと、
前記ＣＳＩ−ＲＳアグリゲーションリソース設定における第１部分のリソース設定を使用し、第１密度で前記アンテナアレイにおける第１のアンテナポートのＣＳＩ−ＲＳを送信することと、
前記ＣＳＩ−ＲＳアグリゲーションリソース設定における第２部分のリソース設定を使用し、第２密度で前記アンテナアレイにおける第２のアンテナポートのＣＳＩ−ＲＳを送信することと、を含む送信方法。
【請求項２】
第１タイプの移動局と第２タイプの移動局が前記基地局に接続され、
前記基地局は、前記アンテナアレイにおける第１数のアンテナポートによって、前記第１タイプの移動局へデータを送信し、
前記基地局は、前記アンテナアレイにおける第２数のアンテナポートによって、前記第２タイプの移動局へデータを送信し、
第１数は、第２数よりも小さく、
前記送信方法は、
前記第１タイプの移動局と前記第２タイプの移動局に応じて、アグリゲーションされるＣＳＩ−ＲＳ初期リソース設定を特定することをさらに含む、請求項１に記載の送信方法。
【請求項３】
前記第１タイプの移動局と前記第２タイプの移動局に応じて、アグリゲーションされるＣＳＩ−ＲＳ初期リソース設定を特定することは、
前記第１タイプの移動局に応じて、アグリゲーションされるＣＳＩ−ＲＳ初期リソース設定のパターンを特定することと、
アグリゲーションされるＣＳＩ−ＲＳ初期リソース設定のパターンと、前記第２タイプの移動局に応じて、アグリゲーションされるＣＳＩ−ＲＳ初期リソース設定の数を特定することと、を含む請求項２に記載の送信方法。
【請求項４】
前記第１タイプの移動局は、一つ又は複数のサブタイプの移動局を含み、
前記基地局が各サブタイプの移動局へデータを送信する時に使用されるアンテナポートの数は異なり、
前記第１タイプの移動局に応じて、アグリゲーションされるＣＳＩ−ＲＳ初期リソース設定のパターンを特定することは、
前記一つ又は複数のサブタイプの移動局に応じて、アグリゲーションされるＣＳＩ−ＲＳ初期リソース設定のパターンを特定することを含む、請求項３に記載の送信方法。
【請求項５】
アグリゲーションされるＣＳＩ−ＲＳ初期リソース設定のパターンは、前記一つ又は複数のサブタイプの移動局のうち特定のサブタイプの移動局についてのＣＳＩ−ＲＳリソース設定のパターンである請求項４に記載の送信方法。
【請求項６】
前記第１タイプの移動局と前記第２タイプの移動局に応じて、前記第１部分のリソース設定を特定すること、をさらに含み、
前記第１のアンテナポートのＣＳＩ−ＲＳは、前記第１タイプの移動局のＣＳＩ測定に用いられ、
前記第１のアンテナポートのＣＳＩ−ＲＳと前記第２のアンテナポートのＣＳＩ−ＲＳは、前記第２タイプの移動局のＣＳＩ測定に用いられる、請求項２ないし５のいずれか一項に記載の送信方法。
【請求項７】
前記第１部分のリソース設定は、少なくとも一つのアグリゲーションされたＣＳＩ−ＲＳ初期リソース設定を含む、請求項６に記載の送信方法。
【請求項８】
前記第１密度は、前記第２密度の整数倍であり、
第１タイプの移動局と第２タイプの移動局に応じて、第１密度と第２密度間の関係を特定する、請求項２ないし５のいずれか一項に記載の送信方法。
【請求項９】
無線リソース制御（ＲＲＣ）シグナリングによって、移動局へ前記ＣＳＩ−ＲＳアグリゲーションリソース設定に関するアグリゲーション設定情報を送信する、請求項１ないし５のいずれか一項に記載の送信方法。
【請求項１０】
アンテナポート数のパラメータによって、移動局へ前記ＣＳＩ−ＲＳ初期リソース設定に関する情報を送信する、請求項１ないし５のいずれか一項に記載の送信方法。
【請求項１１】
移動局によって実行されるチャネル状態情報参照信号（ＣＳＩ−ＲＳ）の検出方法であって、
基地局から、複数のＣＳＩ−ＲＳ初期リソース設定に対してアグリゲーションを行うことで得られたＣＳＩ−ＲＳアグリゲーションリソース設定に関するアグリゲーション設定情報を受信することと、
受信されたアグリゲーション設定情報に応じて、検出すべき基地局のアンテナアレイにおけるアンテナポートを特定することと、
特定されたアンテナポートに対応するＣＳＩ−ＲＳを検出することと、を含む検出方法。
【請求項１２】
前記ＣＳＩ−ＲＳアグリゲーションリソース設定は、第１部分のリソース設定と第２部分のリソース設定を含み、
前記基地局は、前記ＣＳＩ−ＲＳアグリゲーションリソース設定における第１部分のリソース設定を使用し、第１密度で前記アンテナアレイにおける第１のアンテナポートのＣＳＩ−ＲＳを送信するとともに、前記ＣＳＩ−ＲＳアグリゲーションリソース設定における第２部分のリソース設定を使用し、第２密度で前記アンテナアレイにおける第２のアンテナポートのＣＳＩ−ＲＳを送信し、
前記アグリゲーション設定情報には、アグリゲーションされたＣＳＩ−ＲＳ初期リソース設定に関するリソース設定情報、アグリゲーションされたＣＳＩ−ＲＳ初期リソース設定の数、ＣＳＩ−ＲＳアグリゲーションリソース設定における第１部分のリソース設定、及び前記第１密度と前記第２密度間の関係パラメータを含む、請求項１１に記載の検出方法。
【請求項１３】
受信されたアグリゲーション設定情報に応じて、検出すべき基地局のアンテナアレイにおけるアンテナポートを特定することは、
前記ＣＳＩ−ＲＳ初期リソース設定に関するリソース設定情報に応じて、前記ＣＳＩ−ＲＳ初期リソース設定に対応する初期アンテナポートを特定することと、
特定された初期アンテナポート、アグリゲーションされたＣＳＩ−ＲＳ初期リソース設定の数、ＣＳＩ−ＲＳアグリゲーションリソース設定における第１部分のリソース設定、及び前記第１密度と前記第２密度間の関係パラメータに応じて、検出すべきアンテナアレイにおけるアンテナポートを取得することと、を含む請求項１２に記載の検出方法。
【請求項１４】
受信されたアグリゲーション設定情報に応じて、検出すべきアンテナアレイにおけるアンテナポートを特定することは、
アグリゲーションされたＣＳＩ−ＲＳ初期リソース設定において指示されるリソースブロックインデックスに応じて、検出すべきアンテナアレイにおけるアンテナポートを特定することをさらに含む、請求項１３に記載の検出方法。
【請求項１５】
複数のＣＳＩ−ＲＳ初期リソース設定に対してアグリゲーションを行うことでＣＳＩ−ＲＳアグリゲーションリソース設定を得るように配置されるリソース管理部と、
前記ＣＳＩ−ＲＳアグリゲーションリソース設定における第１部分のリソース設定を使用し、第１密度で前記基地局のアンテナアレイにおける第１のアンテナポートのＣＳＩ−ＲＳを送信するとともに、前記ＣＳＩ−ＲＳアグリゲーションリソース設定における第２部分のリソース設定を使用し、第２密度で前記アンテナアレイにおける第２のアンテナポートのＣＳＩ−ＲＳを送信するように配置される送信部と、を備える基地局。
【請求項１６】
第１タイプの移動局と第２タイプの移動局が、前記基地局に接続され、
前記送信部は、さらに、前記アンテナアレイにおける第１数のアンテナポートによって前記第１タイプの移動局へデータを送信するとともに、前記アンテナアレイにおける第２数の一部のアンテナポートによって前記第２タイプの移動局へデータを送信するように配置され、ここで、第１数は第２数よりも小さく、
前記リソース管理部は、前記第１タイプの移動局と前記第２タイプの移動局に応じて、アグリゲーションされるＣＳＩ−ＲＳ初期リソース設定を特定する、請求項１５に記載の基地局。
【請求項１７】
前記リソース管理部は、前記第１タイプの移動局に応じて、アグリゲーションされるＣＳＩ−ＲＳ初期リソース設定のパターンを特定し、かつ、アグリゲーションされるＣＳＩ−ＲＳ初期リソース設定のパターンと前記第２タイプの移動局に応じて、アグリゲーションされるＣＳＩ−ＲＳ初期リソース設定の数を特定する、請求項１６に記載の基地局。
【請求項１８】
前記リソース管理部は、前記第１タイプの移動局と前記第２タイプの移動局に応じて、前記第１部分のリソース設定を特定し、
前記第１のアンテナポートのＣＳＩ−ＲＳは、前記第１タイプの移動局のＣＳＩ測定に用いられ、
前記第１のアンテナポートのＣＳＩ−ＲＳと前記第２のアンテナポートのＣＳＩ−ＲＳは、前記第２タイプの移動局のＣＳＩ測定に用いられる、請求項１６又は１７に記載の基地局。
【請求項１９】
前記第１密度は、前記第２密度の整数倍であり、
第１タイプの移動局と第２タイプの移動局に応じて、第１密度と第２密度間の関係を特定する、請求項１６又は１７に記載の基地局。
【請求項２０】
基地局から、複数のＣＳＩ−ＲＳ初期リソース設定に対してアグリゲーションを行うことで得られたＣＳＩ−ＲＳアグリゲーションリソース設定に関するアグリゲーション設定情報を受信するように配置される受信部と、
受信されたアグリゲーション設定情報に応じて、検出すべき基地局のアンテナアレイにおけるアンテナポートを特定するように配置されるポート特定部と、
特定されたアンテナポートに対応するＣＳＩ−ＲＳを検出するように配置される検出部と、を備える移動局。
【請求項２１】
前記ＣＳＩ−ＲＳアグリゲーションリソース設定は、第１部分のリソース設定と第２部分のリソース設定を含み、
前記基地局は、前記ＣＳＩ−ＲＳアグリゲーションリソース設定における第１部分のリソース設定を使用し、第１密度で前記アンテナアレイにおける第１のアンテナポートのＣＳＩ−ＲＳを送信するとともに、前記ＣＳＩ−ＲＳアグリゲーションリソース設定における第２部分のリソース設定を使用し、第２密度で前記アンテナアレイにおける第２のアンテナポートのＣＳＩ−ＲＳを送信し、
前記設定情報には、アグリゲーションされたＣＳＩ−ＲＳ初期リソース設定に関するリソース設定情報、アグリゲーションされたＣＳＩ−ＲＳ初期リソース設定の数、ＣＳＩ−ＲＳアグリゲーションリソース設定における第１部分のリソース設定、及び前記第１密度と前記第２密度間の関係パラメータを含む、請求項２０に記載の移動局。
【請求項２２】
前記ポート特定部は、前記ＣＳＩ−ＲＳ初期リソース設定に関するリソース設定情報に応じて、前記ＣＳＩ−ＲＳ初期リソース設定に対応する初期アンテナポートを特定し、かつ、特定された初期アンテナポート、アグリゲーションされたＣＳＩ−ＲＳ初期リソース設定の数、ＣＳＩ−ＲＳアグリゲーションリソース設定における第１部分のリソース設定、及び前記第１密度と前記第２密度間の関係パラメータに応じて、検出すべきアンテナアレイにおけるアンテナポートを取得する、請求項２１に記載の移動局。
【請求項２３】
前記ポート特定部は、さらに、アグリゲーションされたＣＳＩ−ＲＳ初期リソース設定において指示されたリソースブロックインデックスに応じて、検出すべきアンテナアレイにおけるアンテナポートを特定する、請求項２２に記載の移動局。
【発明の詳細な説明】
【技術分野】
【０００１】
本発明は、無線通信分野に関し、具体的には、無線通信システムにおいて使用可能なチャネル状態情報参照信号（ＣＳＩ−ＲＳ）の送信方法、チャネル状態情報参照信号（ＣＳＩ−ＲＳ）の検出方法、基地局及び移動局に関する。
【背景技術】
【０００２】
ＬＴＥシステムの後継システム（例えば、ＬＴＥ−Ａｄｖａｎｃｅｄ又はＬＴＥ−Ａｄｖａｎｃｅｄ  Ｐｒｏと呼ばれる場合もある）において、ユーザー端末でチャネルの空間特性を測定し，測定結果をチャネル状態情報（ＣＳＩ）の形式で無線基地局にフィードバックすることは重要になりつづける。ＬＴＥの後継システム（例えば、リリース１０）において、チャネル状態情報参照信号（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ、ＣＳＩ−ＲＳ）を、チャネル状態情報（Ｃｈａｎｎｅｌ  Ｓｔａｔｅ  Ｉｎｆｏｒｍａｔｉｏｎ、ＣＳＩ）を測定するための参照信号として使用することが提案された。例えば、基地局が移動局へ当該移動局のためのＣＳＩ−ＲＳを送信することで、移動局が当該ＣＳＩ−ＲＳに応じてＣＳＩ測定を行い、測定結果を返すようにする。
【発明の概要】
【発明が解決しようとする課題】
【０００３】
一方、全次元マルチ入力マルチ出力(Ｆｕｌｌ  Ｄｉｍｅｎｓｉｏｎａｌ  ＭＩＭＯ、ＦＤ−ＭＩＭＯ)と大規模マルチ入力マルチ出力（Ｍａｓｓｉｖｅ  ＭＩＭＯ）のアンテナは、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）で検討されたＬＴＥ（Ｌｏｎｇ  Ｔｅｒｍ  Ｅｖｏｌｕｔｉｏｎ）リリース１３で提案された無線伝送技術である。伝統のＭＩＭＯシステムと比べると、ＦＤ−ＭＩＭＯおよび大規模ＭＩＭＯシステムにおいて、移動局のデータが増える時、基地局は、より多くのアンテナを使用してデータ伝送を行ってシステムスループットを向上することができるが、アンテナ数の増加と伴い、ＣＳＩ−ＲＳに必要とされる制御シグナリングにかかるオーバーヘッドも増えてしまう。また、セル内では、伝統のＭＩＭＯシステムを使用する移動局も存在し、ＦＤ−ＭＩＭＯ及び大規模ＭＩＭＯシステムを使用する移動局も存在する可能性を考慮する場合、ＦＤ−ＭＩＭＯ及び大規模ＭＩＭＯシステムを伝統のＭＩＭＯシステムと交換性を持たせることができなければ、基地局は、伝統のＭＩＭＯに適用されるアンテナアレイと、ＦＤ−ＭＩＭＯ及び大規模ＭＩＭＯに適用されるアンテナアレイを別々に設置する必要がある。これで、制御シグナリングのオーバーヘッドはさらに増えてしまう。
【課題を解決するための手段】
【０００４】
本発明の一方面によれば、アンテナアレイを有する基地局によって実行されるチャネル状態情報参照信号（ＣＳＩ−ＲＳ）の送信方法であって、複数のＣＳＩ−ＲＳ初期リソース設定に対してアグリゲーションを行うことでＣＳＩ−ＲＳアグリゲーションリソース設定を得ることと、前記ＣＳＩ−ＲＳアグリゲーションリソース設定における第１部分のリソース設定を使用し、第１密度で前記アンテナアレイにおける第１のアンテナポートのＣＳＩ−ＲＳを送信することと、前記ＣＳＩ−ＲＳアグリゲーションリソース設定における第２部分のリソース設定を使用して、第２密度で前記アンテナアレイにおける第２のアンテナポートのＣＳＩ−ＲＳを送信すること、を含む送信方法を提供する。
【０００５】
本発明の他の一方面によれば、移動局によって実行されるチャネル状態情報参照信号（ＣＳＩ−ＲＳ）の検出方法であって、基地局から、複数のＣＳＩ−ＲＳ初期リソース設定に対してアグリゲーションを行うことで得られたＣＳＩ−ＲＳアグリゲーションリソース設定に関するアグリゲーション設定情報を受信することと、受信したアグリゲーション設定情報に応じて、検出すべき基地局のアンテナアレイにおけるアンテナポートを特定することと、特定されたアンテナポートに対応するＣＳＩ−ＲＳを検出すること、を含む検出方法を提供する。
【０００６】
本発明の他の一方面によれば、複数のＣＳＩ−ＲＳ初期リソース設定に対してアグリゲーションを行うことでＣＳＩ−ＲＳアグリゲーションリソース設定を得るように配置されるリソース管理部と、前記ＣＳＩ−ＲＳアグリゲーションリソース設定における第１部分のリソース設定を使用し、第１密度で前記基地局のアンテナアレイにおける第１のアンテナポート第１のアンテナポートのＣＳＩ−ＲＳを送信するとともに、前記ＣＳＩ−ＲＳアグリゲーションリソース設定における第２部分のリソース設定を使用し、第２密度で前記アンテナアレイにおける第２のアンテナポートのＣＳＩ−ＲＳを送信するように配置される送信部と、を備える基地局を提供する。
【０００７】
本発明の他の一方面によれば、基地局から、複数のＣＳＩ−ＲＳ初期リソース設定に対してアグリゲーションを行うことで得られたＣＳＩ−ＲＳアグリゲーションリソース設定に関するアグリゲーション設定情報を受信するように配置される受信部と、受信されたアグリゲーション設定情報に応じて、検出すべき基地局のアンテナアレイにおけるアンテナポートを特定するように配置されるポート特定部と、特定されたアンテナポートに対応するＣＳＩ−ＲＳを検出するように配置される検出部と、を備える、移動局を提供する。
【０００８】
本発明上記方面のＣＳＩ−ＲＳの送信方法、ＣＳＩ−ＲＳの検出方法、基地局及び移動局によれば、各ＣＳＩ−ＲＳ初期リソース設定に対してアグリゲーションを行い、アグリゲーションされた後のリソース設定において、異なる密度でＣＳＩ−ＲＳを送信する。これにより、無線通信システムでは、送信密度を低減することにより、ＣＳＩ−ＲＳに占有される下り制御シグナリングのオーバーヘッドを減少すると同時に、ＦＤ−ＭＩＭＯ及び大規模ＭＩＭＯシステムと伝統のＭＩＭＯシステムの優れた交換性を実現できる。
【図面の簡単な説明】
【０００９】
図面を参照しながら本発明の実施例を詳細に説明することにより、本発明の上記及びその他目的、特徴、長所はより明らかになる。
【００１０】
【図１】基地局によって実行されるチャネル状態情報参照信号（ＣＳＩ−ＲＳ）の送信方法のフローチャートを示す。
【図２】第１タイプの移動局及び第２タイプの移動局に応じて、アグリゲーションされるＣＳＩ−ＲＳ初期リソース設定を特定する概念図を示す。
【図３】図２に示す例示において、ＣＳＩ−ＲＳアグリゲーションリソース設定における第１部分のリソース及び第２部分のリソースの概念図を示す。
【図４】本発明の他の例示による、第１タイプの移動局及び第２タイプの移動局に応じて、アグリゲーションされるＣＳＩ−ＲＳ初期リソース設定を特定する概念図を示す。
【図５】図４に示す例示において、ＣＳＩ−ＲＳアグリゲーションリソース設定における第１部分のリソース及び第２部分のリソースの概念図を示す。
【図６】本発明の一例示による、図３に示す第２部分のリソース設定に含まれる２つのＣＳＩ−ＲＳ初期リソース設定に対して直交カバー符号化を行う概念図を示す。
【図７】チャネル状態情報（ＣＳＩ）の検出方法のフローチャートを示す。
【図８】本発明実施例による基地局のブロック図を示す。
【図９】本発明実施例による移動局のブロック図を示す。
【発明を実施するための形態】
【００１１】
以下、図面を参照しながら、本発明実施例によるチャネル状態情報参照信号（ＣＳＩ−ＲＳ）の送信方法、チャネル状態情報参照信号（ＣＳＩ−ＲＳ）の検出方法、基地局及び移動局を説明する。図面において、同じ参照符号は、常に同じ素子を指す。ここで説明する実施例は例示的なものに過ぎず、本発明の範囲を制限するものと解釈すべきではないことは、理解されるであろう。また、ここで記載のＵＥは、各種タイプのユーザー端末、例えば移動端末（或いは移動局と称する）又は固定端末を含むことができるが、便宜上、ＵＥと移動局は、以下では交換可能に使用されることがある。
【００１２】
基地局は、ＲＲＣシグナリングによって静的又は準静的に移動局へ、ＣＳＩ−ＲＳを伝送する際に使用されるアンテナポート、ビーム、時間及び周波数リソースなどに関する設定情報を送信することができる。そして、設定情報による指示に従い、基地局は、移動局へＣＳＩ−ＲＳを周期的に送信し、そして移動局は、設定情報によって指示される時間間隔でＣＳＩ−ＲＳを受信し、受信したＣＳＩ−ＲＳに応じて測定を行い、測定に応じて基地局へＣＳＩフィードバックを行う。
【００１３】
異なるアンテナポートをサポートするＣＳＩ−ＲＳのリソース設定方法が既にそれぞれ提案された。例えば、リリース１０には、１、２、４、又は８ポートを有するアンテナアレイのためのＣＳＩ−ＲＳのリソース設定方法が提案された。また、例えば、リリース１３には、８、１２、又は１６ポートを有するアンテナアレイのためのＣＳＩ−ＲＳのリソース設定方法が提案された。また、リリース１４には、より多くのアンテナポートをサポートする基地局（例えば、２０、２４、２８又は３２ポートをサポートする基地局）が提案された。より多くのアンテナポート（例えば、３２ポート）を使用する場合、より少ないのアンテナポート（例えば，８ポート）を使用する場合のＣＳＩ−ＲＳと同じ送信密度でＣＳＩ−ＲＳを送信すると、下りリンクシグナリングのオーバーヘッドが著しく増加してしまうことは、理解されるであろう。
【００１４】
シグナリングのオーバーヘッドを低減するために、より多くのアンテナポートを使用する場合、より小さい密度を使用してＣＳＩ−ＲＳを送信することが既に提案されたが、これは、異なる送信密度を使用するアンテナポート間で交換性がなくなることを引き起こし、基地局で異なる送信密度についてのアンテナアレイをそれぞれ設置する必要が生じてしまう。例えば、８ポートのアンテナアレイ、１６ポートのアンテナアレイ及び３２ポートのアンテナアレイをそれぞれ設置することになる。これは、基地局の設置の複雑度を増やすと共に、下りリンクシグナリングのオーバーヘッドも増えてしまう。よって、既存のＣＳＩ−ＲＳ送信方法は、セルに伝統のＭＩＭＯシステムを使用する移動局とＦＤ−ＭＩＭＯ及び大規模ＭＩＭＯシステムを使用する移動局が同時に存在する場合に適用されない。
【００１５】
本発明の実施例は、ＣＳＩ−ＲＳのリソース設定及び送信方式を改善した。以下、図面を参照しながら本発明の実施例を説明する。
【００１６】
以下、図１を参照して本発明実施例による基地局によって実行されるチャネル状態情報参照信号（ＣＳＩ−ＲＳ）の送信方法を説明する。本発明による実施例において、基地局は、複数のアンテナポートを含むアンテナアレイを有することができる。図１は、ＣＳＩ−ＲＳの送信方法１００のフローチャートを示す。図１に示すように、ステップＳ１０１には、複数のＣＳＩ−ＲＳ初期リソース設定に対してアグリゲーションを行うことで、ＣＳＩ−ＲＳアグリゲーションリソース設定を得る。
【００１７】
本発明の一例示によれば、実際に基地局に接続される移動局のタイプに応じて、ＣＳＩ−ＲＳ初期リソース設定及びＣＳＩ−ＲＳ初期リソース設定のアグリゲーション方式を特定することができる。具体的には、第１タイプの移動局及び第２タイプの移動局が基地局に接続される可能性がある。ここで、基地局は、アンテナアレイにおける第１数のアンテナポートによって第１タイプの移動局へデータを送信するとともに、アンテナアレイにおける第２数のアンテナポートによって第２タイプの移動局へデータを送信する。ここで、第１数は、第２数よりも小さい。第１タイプの移動局及び第２タイプの移動局に応じて、アグリゲーションされるＣＳＩ−ＲＳ初期リソース設定を特定することができる。例えば、第１タイプの移動局に応じて、アグリゲーションされるＣＳＩ−ＲＳ初期リソース設定のパターンを特定し、かつ、アグリゲーションされるＣＳＩ−ＲＳ初期リソース設定のパターン及び第２タイプの移動局に応じて、アグリゲーションされるＣＳＩ−ＲＳ初期リソース設定の数を特定することができる。ＣＳＩ−ＲＳ初期リソース設定のパターンは、ＣＳＩ−ＲＳを送信するためのポート数及び占有されるリソースの位置を含むことができる。
【００１８】
例えば、第１タイプの移動局は４ポートデータ伝送を受信する移動局であり、第２タイプの移動局は１２ポートデータ伝送を受信する移動局である場合、アグリゲーションされるＣＳＩ−ＲＳ初期リソース設定のパターンとして、４ポートデータ伝送を受信する移動局についてのＣＳＩ−ＲＳリソース設定のパターンであると特定することができる。また、ＣＳＩ−ＲＳアグリゲーションリソース設定を得るために、３つのＣＳＩ−ＲＳ初期リソース設定に対するアグリゲーションが必要すると特定することができる。
【００１９】
また、例えば、第１タイプの移動局は８ポートデータ伝送を受信する移動局であり、第２タイプの移動局は１６ポートデータ伝送を受信する移動局である場合、アグリゲーションされるＣＳＩ−ＲＳ初期リソース設定のパターンとして、８ポートデータ伝送を受信する移動局についてのＣＳＩ−ＲＳリソース設定のパターンであると特定することができる。また、ＣＳＩ−ＲＳアグリゲーションリソース設定を得るために、２つのＣＳＩ−ＲＳ初期リソース設定に対するアグリゲーションが必要すると特定することができる。
【００２０】
本発明の他の一例示によれば、基地局に接続可能な移動局のタイプに応じて、ＣＳＩ−ＲＳ初期リソース設定及びＣＳＩ−ＲＳ初期リソース設定のアグリゲーション方式を特定することができる。具体的には、第１タイプの移動局及び第２タイプの移動局が基地局に接続可能である。ここで、前記したように、基地局は、アンテナアレイにおける第１数のアンテナポートによって第１タイプの移動局へデータを送信するとともに、アンテナアレイにおける第２数のアンテナポートによって第２タイプの移動局へデータを送信する。ここで、第１数は、第２数よりも小さい。第１タイプの移動局及び第２タイプの移動局に応じて、アグリゲーションされるＣＳＩ−ＲＳ初期リソース設定を特定することができる。
【００２１】
図２は、本発明の一例示により、第１タイプの移動局及び第２タイプの移動局に応じて、アグリゲーションされるＣＳＩ−ＲＳ初期リソース設定を特定する概念図を示す。図２に示す例示には、８ポートデータ伝送を受信する第１タイプの移動局及び２４ポートデータ伝送を受信できる第２タイプの移動局が基地局に接続されている。ＣＳＩ−ＲＳ初期リソース設定のパターンとして、既存の規格において８ポートデータ伝送を受信できる移動局のＣＳＩ−ＲＳリソース設定のパターンを取得することができる。図２に示すように、例えば、リリース１０によれば、８ポートのアンテナアレイに対して、アンテナポート１５−２２によってＣＳＩ−ＲＳを送信する。ＣＳＩ−ＲＳを送信する度に、１サブフレーム及び帯域幅における特定のリソースブロック（例えば、図２の灰色領域に示すもの）を使用して送信する。具体的には、ＣＳＩ−ＲＳを送信する度に、基地局の全帯域幅上で分布される周波数リソースブロックを使用してＣＳＩ−ＲＳを送信する。図２に示すように、全帯域幅は、それぞれ１２周波数リソースブロックを含む複数のリソースブロックグループに分けられ、各リソースブロックグループにおいて同じ方式で８ポートのＣＳＩ−ＲＳを送信することができる。また、一つ又は複数のサブフレーム（例えば、５サブフレーム）を間隔として周期的にＣＳＩ−ＲＳを送信することができる。
【００２２】
また、図２に示す例示では、２つのＣＳＩ−ＲＳ初期リソース設定をアグリゲーションしてＣＳＩ−ＲＳアグリゲーションリソース設定を得ることができる。例えば、ＣＳＩ−ＲＳリソース設定２１０−１及び２１０−２をアグリゲーションしてＣＳＩ−ＲＳアグリゲーションリソース設定を得る。本発明の実施例によれば、ＣＳＩ−ＲＳアグリゲーションリソース設定の第１部分のリソース設定及び第２部分のリソース設定において、異なる密度でＣＳＩ−ＲＳを送信することができる。これについて、以下、ステップＳ１０２及びステップＳ１０３を結合して詳細に説明する。
【００２３】
また、本発明の他の一例示によれば、第１タイプの移動局は、一つ又は複数のサブタイプの移動局を含むことができる。ここで、基地局が各サブタイプの移動局へデータを送信するときに使用するアンテナポート数は異なる。この場合、基地局は、一つ又は複数のサブタイプの移動局に応じて、アグリゲーションされるＣＳＩ−ＲＳ初期リソース設定のパターンを特定することができる。例えば、アグリゲーションされるＣＳＩ−ＲＳ初期リソース設定のパターンは、一つ又は複数のサブタイプの移動局のうち、特定のサブタイプの移動局についてのＣＳＩ−ＲＳリソース設定のパターンである。
【００２４】
例えば、４、８及び２４ポートデータ伝送を受信できる移動局が基地局に接続される可能性がある。４及び８ポートデータ伝送を受信できる移動局を第１タイプの移動局、２４ポートデータ伝送を受信できる移動局を第２タイプの移動局とすることができる。基地局に接続されて４及び８ポートデータ伝送を受信できる移動局の数に応じてアグリゲーションされるＣＳＩ−ＲＳ初期リソース設定のパターンを特定することができる。例えば、基地局に接続されて８ポートデータ伝送を受信できる移動局の数が、４ポートデータ伝送を受信できる移動局の数よりも多い場合、８ポートデータ伝送を受信できる移動局についてのＣＳＩ−ＲＳリソース設定のパターンを、ＣＳＩ−ＲＳ初期リソース設定のパターンとする。逆の場合、４ポートデータ伝送を受信できる移動局についてのＣＳＩ−ＲＳリソース設定のパターンを、ＣＳＩ−ＲＳ初期リソース設定のパターンとする。
【００２５】
図１へ戻り、ステップＳ１０２では、ＣＳＩ−ＲＳアグリゲーションリソース設定における第１部分のリソース設定を使用して、第１密度でアンテナアレイにおける第１のアンテナポートのＣＳＩ−ＲＳを送信する。また、ステップＳ１０３では、ＣＳＩ−ＲＳアグリゲーションリソース設定における第２部分のリソース設定を使用して、第２密度でアンテナアレイにおける第２のアンテナポートのＣＳＩ−ＲＳを送信する。例えば、第１密度は、第２密度の整数倍であってよい。
【００２６】
上記したように、第１タイプの移動局及び第２タイプの移動局が基地局に接続される可能性がある。ここで、基地局は、アンテナアレイにおける第１数のアンテナポートによって第１タイプの移動局へデータを送信するとともに、アンテナアレイにおける第２数のアンテナポートによって第２タイプの移動局へデータを送信し、第１数は、第２数よりも小さい。本発明の一例示によれば、第１タイプの移動局及び第２タイプの移動局に応じて、第１部分のリソース設定を特定することができる。ここで、第１のアンテナポートのＣＳＩ−ＲＳは、第１タイプの移動局のＣＳＩ測定に用いられ、第１のアンテナポートのＣＳＩ−ＲＳ及び第２のアンテナポートのＣＳＩ−ＲＳは、第２タイプの移動局のＣＳＩ測定に用いられる。よって、第１部分のリソース設定において、第１タイプの移動局に適用される送信密度でＣＳＩ−ＲＳを送信することができる。一方、第２部分のリソース設定において、第１タイプの移動局を考慮する必要がないため、第１密度と異なる第２密度でＣＳＩ−ＲＳを送信することができる。例えば、第１密度よりも低い第２密度でＣＳＩ−ＲＳを送信することができる。また、本発明の他の一例示によれば、第１部分のリソース設定は、少なくとも一つのアグリゲーションされたＣＳＩ−ＲＳ初期リソース設定を含むことができる。
【００２７】
図３は、図２に示す例示において、ＣＳＩ−ＲＳアグリゲーションリソース設定における第１部分のリソース及び第２部分のリソースを示す概念図である。具体的には、図３において、図２に示すＣＳＩ−ＲＳ初期リソース設定２１０−１から２１０−２までに対してアグリゲーションを行うことで、ＣＳＩ−ＲＳアグリゲーションリソース設定３００を得る。上記したように、本例示において、８ポートデータ伝送を受信できる第１タイプの移動局及び２４ポートデータ伝送を受信できる第２タイプの移動局が存在し基地局に接続される。８ポートデータ伝送を受信できる移動局及び２４ポートデータ伝送を受信できる第２タイプの移動局に応じて第１部分のリソース設定を特定して第１部分のリソース設定のサイズを特定し、それに、第１部分のリソース設定において、８ポートデータ伝送を受信できる移動局に適用される送信密度でＣＳＩ−ＲＳを送信することができる。
【００２８】
上記したように、図２には、８ポートデータ伝送を受信できる移動局についてのＣＳＩ−ＲＳリソース設定を、ＣＳＩ−ＲＳ初期リソース設定とする。従って、図３に示すように、ＣＳＩ−ＲＳ初期リソース設定２１０−１を第１部分のリソース設定３１０とし、かつ、ＣＳＩ−ＲＳ初期リソース設定２１０−２を第２部分のリソース設定３２０とすることができる。図３に示すように、第１部分のリソース設定３１０でその参照信号を送信する８アンテナポートはポート１５−１８、２７-３０であり、第２部分のリソース設定３２０でその参照信号を送信する１６アンテナポートはポート１９−２６、３１−３８である。すなわち、第１部分のリソース設定で参照信号を送信するアンテナポートは、第２部分のリソース設定で参照信号を送信するアンテナポートと異なる。
【００２９】
また、図３に示すように、第１部分のリソース設定３１０における各アンテナポートに対する参照信号の送信密度は、第２部分のリソース設定３２０における各アンテナポートに対する参照信号の送信密度の２倍である。よって、第１部分のリソース設定３１０によって、８ポートデータ伝送を受信できる移動局に対するＣＳＩ−ＲＳの送信を完了し、また、第１部分のリソース設定３１０及び第２部分のリソース設定３２０によって、２４ポートデータ伝送を受信できる移動局に対するＣＳＩ−ＲＳの送信を連携して完了する。
【００３０】
また、図２に示す例示には、８ポートのアンテナアレイに対して、アンテナポート１５-２２によってＣＳＩ−ＲＳを送信する。しかしながら、２４ポートのアンテナアレイにおけるアンテナポートの番号は、８ポートのアンテナアレイにおけるアンテナポートの番号と異なるため、図３に示すように、第１部分のリソース設定において、８ポートデータ伝送を受信できる第１タイプの移動局向けのアンテナポート番号は、図２に示す８ポートデータ伝送を受信できる第１タイプの移動局向けのアンテナポート番号と異なる。
【００３１】
本発明の一例示によれば、ＣＳＩ−ＲＳ初期リソース設定に関するリソース設定情報に応じてＣＳＩ−ＲＳ初期リソース設定に対応する初期アンテナポートＰ’を特定し、特定された初期アンテナポート、ＣＳＩ−ＲＳアグリゲーションリソース設定においてアグリゲーションされたＣＳＩ−ＲＳ初期リソース設定の数Ｋ、ＣＳＩ−ＲＳアグリゲーションリソース設定における第１部分のリソース設定でのＣＳＩ−ＲＳ初期リソース設定の数Ｌ、及び第１密度と第２密度間の関係パラメータＱに応じて、検出すべきアンテナアレイにおけるアンテナポートＰを得ることができる。
【００３２】
例えば、第１部分のリソース設定において、以下の式（１）と式（２）によってアンテナポートＰを特定することができる。
【００３３】
具体的には、(Ｐ’−１５)<Ｍ＊Ｃの時、以下の式（１）によってアンテナポートＰを特定することができる。
Ｐ＝（ｋ−１）＊Ｍ＊Ｃ＋Ｐ’・・・・・・・（１）
【００３４】
（Ｐ’−１５）＞＝Ｍ＊Ｃの時、以下の式（２）によってアンテナポートＰを特定することができる。
Ｐ＝（ｋ−１）＊Ｍ＊Ｃ＋Ｐ’・・・・・・（２）
【００３５】
但し、ｋはアグリゲーションされたＣＳＩ−ＲＳ初期リソース設定の番号を示し、Ｍは基地局のアンテナアレイに含まれる行数（又はカラム数）を示し、ＣはＣＳＩ−ＲＳ初期リソース設定に対応するアンテナアレイに含まれるカラム数（又は行数）を示す。
【００３６】
また、アグリゲーションされたＣＳＩ−ＲＳ初期リソース設定に指示されるリソースブロックインデックスｎ＿ＲＢに応じて、検出すべきアンテナアレイにおけるアンテナポートを特定することもできる。
【００３７】
例えば、第２部分のリソース設定において、以下の式（３）と式（４）に応じてアンテナポートＰを特定することができる。
【００３８】
具体的には、（Ｐ’−１５）＜Ｍ＊Ｃの時、以下の式（３）に従ってアンテナポートＰを特定することができる。
Ｐ＝（ｋ−１）＊Ｍ＊Ｃ＋ｌ＊Ｍ＊Ｃ＋Ｐ’・・・・・・（３）
【００３９】
（Ｐ’−１５）＞＝Ｍ＊Ｃの時、以下の式（４）に従ってアンテナポートＰを特定することができる。
Ｐ＝（ｋ−１）＊Ｍ＊Ｃ＋（Ｋ−Ｌ）＊Ｑ＊Ｍ＊Ｃ+ｌ＊Ｍ＊Ｃ+Ｐ’・・・・・・（４）
【００４０】
但し、ｌ＝ｍｏｄ（ｎ＿ＲＢ，Ｑ）であり、ｎ＿ＲＢは全帯域幅におけるリソースブロックの番号を示す。
【００４１】
式（１）−（４）における定数“１５”は、ＣＳＩ−ＲＳを送信するためのアンテナポートの開始番号である。例えば、上記したように、リリース１０には、アンテナポート１５-２２によってＣＳＩ−ＲＳを送信する。
【００４２】
図４は、本発明の他の一例示により、第１タイプの移動局及び第２タイプの移動局に応じて、アグリゲーションされるＣＳＩ−ＲＳ初期リソース設定を特定する概念図を示す。図４に示す例示には、８ポートデータ伝送を受信する第１タイプの移動局及び３２ポートデータ伝送を受信できる第２タイプの移動局が基地局に接続されている。図２と同様に、ＣＳＩ−ＲＳ初期リソース設定のパターンとして、既存の規格において８ポートデータ伝送を受信できる移動局のＣＳＩ−ＲＳリソース設定のパターンを得ることができる。また、図４に示す例示には、３２ポートデータ伝送を受信できる第２タイプの移動局へのＣＳＩ−ＲＳの送信を実現するために、２つのＣＳＩ−ＲＳ初期リソース設定をアグリゲーションしてＣＳＩ−ＲＳアグリゲーションリソース設定を得ることができる。例えば、ＣＳＩ−ＲＳリソース設定４１０−１から４１０−２までをアグリゲーションしてＣＳＩ−ＲＳアグリゲーションリソース設定を得る。ＣＳＩ−ＲＳリソース設定４１０−１から４１０−２までをアグリゲーションすることは、ＣＳＩ−ＲＳリソース設定２１０−１から２１０−２までをアグリゲーションすることと比べると、３２ポートについてのアグリゲーションを説明するために、図４には当該ＣＳＩ−ＲＳリソース設定の周波数上のより多くの部分が示されている。本発明の実施例によれば、ＣＳＩ−ＲＳアグリゲーションリソース設定における第１部分のリソース設定及び第２部分のリソース設定において、異なる密度でＣＳＩ−ＲＳを送信することができる。
【００４３】
図５は、図４に示す例示において、ＣＳＩ−ＲＳアグリゲーションリソース設定における第１部分のリソース及び第２部分のリソースの概念図を示す。具体的には、図５には、図４に示すＣＳＩ−ＲＳ初期リソース設定４１０−１及び４１０−２に対してアグリゲーションを行うことでＣＳＩ−ＲＳアグリゲーションリソース設定５００を得る。８ポートデータ伝送を受信できる移動局及び３２ポートデータ伝送を受信できる第２タイプの移動局に応じて、第１部分のリソース設定を特定して第１部分のリソース設定のサイズを特定し、それに、第１部分のリソース設定において８ポートデータ伝送を受信できる移動局に適用される送信密度でＣＳＩ−ＲＳを送信することができる。
【００４４】
上記したように、図４には、８ポートデータ伝送を受信できる移動局についてのＣＳＩ−ＲＳリソース設定を、ＣＳＩ−ＲＳ初期リソース設定とする。よって、図５に示すように、ＣＳＩ−ＲＳ初期リソース設定４１０−１を第１部分のリソース設定５１０として、８ポートデータ伝送を受信できる第１タイプの移動局についてのＣＳＩ−ＲＳの送信に用いられ、また、ＣＳＩ−ＲＳ初期リソース設定４１０−２を第２部分のリソース設定５２０として、２４ポートデータ伝送を受信できる第１タイプの移動局についてのＣＳＩ−ＲＳの送信に用いることができる。図５に示すように、第１部分のリソース設定５１０において、第１タイプの移動局のための８アンテナポートにおける各アンテナポートのＣＳＩ−ＲＳを送信し、第２部分のリソース設定５２０において、第２タイプの移動局についての、第１部分のリソース設定５１０におけるアンテナポートと異なる２４ポートのＣＳＩ−ＲＳを送信する。図５に示すように、第１部分のリソース設定５１０において各アンテナポートに対する参照信号の送信密度は、第２部分のリソース設定５２０において各アンテナポートに対する参照信号の送信密度の３倍である。よって、第１部分のリソース設定５１０によって、８ポートデータ伝送を受信できる移動局に対するＣＳＩ−ＲＳの送信を完了し、第１部分のリソース設定５１０及び第２部分のリソース設定５２０によって、３２ポートデータ伝送を受信できる移動局に対するＣＳＩ−ＲＳの送信を連携して完了する。
【００４５】
また、本発明の他の一例示によれば、第２部分のリソース設定において送信されるアンテナポートのＣＳＩ−ＲＳに対して時間及び周波数上で直交カバー符号化（ｏｒｔｈｏｇｏｎａｌ  ｃｏｖｅｒｉｎｇ  ｃｏｄｅ）を行うことで符号分割多重を実現することができ、よってチャネル推定時のパワー利得を改善する。例えば、第２部分のリソース設定に含まれる複数のリソースブロックグループに対して直交カバー符号化を行うことができる。
【００４６】
図６は、本発明の一例示により、図３に示す第２部分のリソース設定３２０に含まれる２つのリソースブロックグループに対して直交カバー符号化を行う概念図を示す。図６に示すように、リソースブロックグループ２１０−２Ａと２１０−２Ｂにおけるアンテナポート１９、２０、２３、２４に関するＣＳＩ−ＲＳに対して直交カバー符号化を行うことで、ＣＳＩ−ＲＳ初期リソース設定２１０−２Ａにおいてアンテナポート１９、２０、２３、２４に関するＣＳＩ−ＲＳの第１部分のコードワードを送信し、２１０−２Ｂにおいてアンテナポート１９、２０、２３、２４に関するＣＳＩ−ＲＳの第２部分のコードワードを送信する。また、アンテナポート３１、３２、３５、３６、アンテナポート２１、２２、２５、２６及びアンテナポート３３、３４、３７、３８に対しても同様な操作を行う。
【００４７】
本発明上記実施例によるＣＳＩ−ＲＳの送信方法において、各ＣＳＩ−ＲＳ初期リソース設定に対してアグリゲーションを行い、アグリゲーションされた後のリソース設定において、異なる密度でＣＳＩ−ＲＳを送信する。これにより、無線通信システムは、送信密度を低減することでＣＳＩ−ＲＳに占有される下り制御シグナリングのオーバーヘッドを減少すると共に、ＦＤ−ＭＩＭＯ及び大規模ＭＩＭＯシステムと伝統のＭＩＭＯシステムとの良好な交換性を実現することができる。
【００４８】
また、本発明の他の一例示によれば、実際に基地局に接続される移動局のタイプに応じてリソースアグリゲーションを行う場合、図１に示す方法は、無線リソース制御（ＲＲＣ）シグナリングによって移動局へ前記ＣＳＩ−ＲＳアグリゲーションリソース設定に関するアグリゲーション設定情報を送信することをさらに含むことができる。通信システムの既存のパラメータを使用して少なくとも一部のアグリゲーション設定情報を通知することができる。例えば、アンテナポート数のパラメータ（ａｎｔｅｎｎａＰｏｒｔｓＣｏｕｎｔ）によって移動局へ前記ＣＳＩ−ＲＳ初期リソース設定に関する情報を送信することができる。
【００４９】
以下、図７を参照して本発明実施例による、移動局によって実行されるチャネル状態情報参照信号（ＣＳＩ−ＲＳ）の検出方法を説明する。図７は、ＣＳＩ検出方法７００のフローチャートを示す。ＣＳＩ検出方法７００は、図１に示すＣＳＩ−ＲＳ送信方法１００に対応する。
【００５０】
図７に示すように、ステップＳ７０１において、基地局からＣＳＩ−ＲＳアグリゲーションリソース設定に関するアグリゲーション設定情報を受信する。ここで、複数のＣＳＩ−ＲＳ初期リソース設定に対してアグリゲーションを行うことで前記ＣＳＩ−ＲＳアグリゲーションリソース設定が得られる。本発明の一例示によれば、ＣＳＩ−ＲＳアグリゲーションリソース設定は、第１部分のリソース設定及び第２部分のリソース設定を含む。基地局は、ＣＳＩ−ＲＳアグリゲーションリソース設定における第１部分のリソース設定を使用し、第１密度でアンテナアレイにおける第１のアンテナポートのＣＳＩ−ＲＳを送信するとともに、ＣＳＩ−ＲＳアグリゲーションリソース設定における第２部分のリソース設定を使用し、第２密度でアンテナアレイにおける第２のアンテナポートのＣＳＩ−ＲＳを送信することができる。アグリゲーション設定情報には、アグリゲーションされたＣＳＩ−ＲＳ初期リソース設定に関するリソース設定情報、アグリゲーションされたＣＳＩ−ＲＳ初期リソース設定の総数、ＣＳＩ−ＲＳアグリゲーションリソース設定における第１部分のリソース設定に含まれるＣＳＩ−ＲＳ初期リソース設定の数、及び第１密度と第２密度間の関係パラメータを含むことができる。
【００５１】
ステップＳ７０２において、受信されたアグリゲーション設定情報に応じて、検出すべき基地局のアンテナアレイにおけるアンテナポートを特定する。本発明の一例示によれば、ＣＳＩ−ＲＳ初期リソース設定に関するリソース設定情報に応じて前記ＣＳＩ−ＲＳ初期リソース設定に対応する初期アンテナポートを特定することができる。そして、特定された初期アンテナポート、アグリゲーションされたＣＳＩ−ＲＳ初期リソース設定の総数、ＣＳＩ−ＲＳアグリゲーションリソース設定における第１部分のリソース設定に含まれるＣＳＩ−ＲＳ初期リソース設定の数、及び前記第１密度と前記第２密度間の関係パラメータに応じて検出すべきアンテナアレイにおけるアンテナポートを得ることができる。例えば、上記の式（１）−（４）を使用して検出すべき基地局のアンテナアレイにおけるアンテナポートを得ることができる。そして、ステップＳ７０３において、特定されたアンテナポートに対応するＣＳＩ−ＲＳを検出する。
【００５２】
本発明上記実施例によるＣＳＩ検出方法において、比較的少ないアンテナポート（例えば４ポート又は８ポート）を使用してデータ受信を行う移動局は、受信ポリシーを変更することなく、既存のリソース設定を効果的に使用してＣＳＩ−ＲＳを受信することができる。一方、比較的多いアンテナポート（例えば２４ポート、２８ポート又は３２ポート）を使用してデータ受信を行う移動局は、一部の低密度リソース設定を効果的に使用してＣＳＩ−ＲＳを受信することができる。これにより、無線通信システムは、送信密度を低減することでＣＳＩ−ＲＳに占有される下り制御シグナリングのオーバーヘッドを減少すると共に、ＦＤ−ＭＩＭＯ及び大規模ＭＩＭＯシステムと伝統のＭＩＭＯシステムとの良好な交換性を実現することができる。
【００５３】
以下、図８を参照して本発明実施例による基地局を説明する。図８は、本発明実施例による基地局８００のブロック図を示す。図８に示すように、基地局８００は、リソース管理部８１０と送信部８２０を備える。この二つの部品以外、基地局８００は、その他の部品をさらに備えてもよいが、これらの部品は本発明実施例の内容と関係ないため、ここでその図示と説明を省略する。また、本発明実施例による基地局８００によって実行される下記操作の詳細は上記で図１−６を参照しながら説明した詳細と同じであるため、重複を避けるためにここでは同じ詳細に対する重複的な説明を省略する。
【００５４】
リソース管理部８１０は、複数のＣＳＩ−ＲＳ初期リソース設定に対してアグリゲーションを行うことでＣＳＩ−ＲＳアグリゲーションリソース設定を得る。本発明の一例示によれば、実際に基地局に接続される移動局のタイプに応じてＣＳＩ−ＲＳ初期リソース設定及びＣＳＩ−ＲＳ初期リソース設定のアグリゲーション方式を特定することができる。具体的には、第１タイプの移動局及び第２タイプの移動局が存在し基地局８００に接続されることができる。ここで、送信部８２０は、アンテナアレイにおける第１数のアンテナポートによって第１タイプの移動局へデータを送信するとともに、アンテナアレイにおける第２数のアンテナポートによって第２タイプの移動局へデータを送信し、第１数は第２数よりも小さい。第１タイプの移動局及び第２タイプの移動局に応じてアグリゲーションされるＣＳＩ−ＲＳ初期リソース設定を特定することができる。例えば、第１タイプの移動局に応じてアグリゲーションされるＣＳＩ−ＲＳ初期リソース設定のパターンを特定し、アグリゲーションされるＣＳＩ−ＲＳ初期リソース設定のパターン及び第２タイプの移動局に応じてアグリゲーションされるＣＳＩ−ＲＳ初期リソース設定の数を特定することができる。ＣＳＩ−ＲＳ初期リソース設定のパターンには、ＣＳＩ−ＲＳの送信に用いられるポート数及び占有されるリソースの位置を含むことができる。
【００５５】
本発明の他の一例示によれば、基地局８００に接続可能の移動局のタイプに応じてＣＳＩ−ＲＳ初期リソース設定及びＣＳＩ−ＲＳ初期リソース設定のアグリゲーション方式を特定することができる。具体的には、第１タイプの移動局及び第２タイプの移動局が存在し基地局８００に接続可能である。ここで、上記したように、送信部８２０は、アンテナアレイにおける第１数のアンテナポートによって第１タイプの移動局へデータを送信するとともに、アンテナアレイにおける第２数のアンテナポートによって第２タイプの移動局へデータを送信し、第１数は第２数よりも小さい。第１タイプの移動局及び第２タイプの移動局に応じてアグリゲーションされるＣＳＩ−ＲＳ初期リソース設定を特定することができる。
【００５６】
また、本発明の他の一例示によれば、第１タイプの移動局は、一つ又は複数のサブタイプの移動局を含むことができる。ここで、送信部８２０が各サブタイプの移動局へデータを送信する時に使用されるアンテナポートの数は異なる。この場合、リソース管理部８１０は、一つ又は複数のサブタイプの移動局に応じてアグリゲーションされるＣＳＩ−ＲＳ初期リソース設定のパターンを特定することができる。例えば、アグリゲーションされるＣＳＩ−ＲＳ初期リソース設定のパターンは、一つ又は複数のサブタイプの移動局のうち特定のサブタイプの移動局についてのＣＳＩ−ＲＳリソース設定のパターンである。
【００５７】
例えば、４、８及び２４ポートデータ伝送を受信できる移動局が存在し基地局に接続されることができる。リソース管理部８１０は、４及び８ポートデータ伝送を受信できる移動局を第１タイプの移動局とし、２４ポートデータ伝送を受信できる移動局を第２タイプの移動局とすることができる。リソース管理部８１０は、基地局に接続され、４及び８ポートデータ伝送を受信できる移動局の数に応じて、アグリゲーションされるＣＳＩ−ＲＳ初期リソース設定のパターンを特定することができる。例えば、基地局に接続されて８ポートデータ伝送を受信できる移動局の数が、４ポートデータ伝送を受信できる移動局の数よりも多い場合、リソース管理部８１０は、８ポートデータ伝送を受信できる移動局についてのＣＳＩ−ＲＳリソース設定のパターンをＣＳＩ−ＲＳ初期リソース設定のパターンとする。逆の場合、リソース管理部８１０は、４ポートデータ伝送を受信できる移動局についてのＣＳＩ−ＲＳリソース設定のパターンをＣＳＩ−ＲＳ初期リソース設定のパターンとする。
【００５８】
送信部８２０は、ＣＳＩ−ＲＳアグリゲーションリソース設定における第１部分のリソース設定を使用し、第１密度でアンテナアレイにおける第１のアンテナポートのＣＳＩ−ＲＳを送信する。また、送信部８２０は、ＣＳＩ−ＲＳアグリゲーションリソース設定における第２部分のリソース設定を使用し、第２密度でアンテナアレイにおける第２のアンテナポートのＣＳＩ−ＲＳを送信する。例えば、第１密度は、第２密度の整数倍であってよい。
【００５９】
上記したように、第１タイプの移動局及び第２タイプの移動局が存在し基地局８００に接続されることができる。ここで、送信部８２０は、アンテナアレイにおける第１数のアンテナポートによって第１タイプの移動局へデータを送信するとともに、アンテナアレイにおける第２数のアンテナポートによって第２タイプの移動局へデータを送信し、第１数は第２数よりも小さい。本発明の一例示によれば、リソース管理部８１０は、第１タイプの移動局及び第２タイプの移動局に応じて第１部分のリソース設定を特定することができる。ここで、第１のアンテナポートのＣＳＩ−ＲＳは、第１タイプの移動局のＣＳＩ測定に用いられ、第１のアンテナポートのＣＳＩ−ＲＳ及び第２のアンテナポートのＣＳＩ−ＲＳは、第２タイプの移動局のＣＳＩ測定に用いられる。よって、第１部分のリソース設定において、第１タイプの移動局に適用される送信密度でＣＳＩ−ＲＳを送信することができる。一方、第２部分のリソース設定において、第１タイプの移動局を考慮する必要がないため、第１密度と異なる第２密度でＣＳＩ−ＲＳを送信することができる。例えば、第１密度よりも低い第２密度でＣＳＩ−ＲＳを送信することができる。また、本発明の他の一例示によれば、第１部分のリソース設定は、少なくとも一つのアグリゲーションされたＣＳＩ−ＲＳ初期リソース設定を含むことができる。
【００６０】
本発明の一例示によれば、基地局８００は、ＣＳＩ−ＲＳ初期リソース設定に関するリソース設定情報に応じてＣＳＩ−ＲＳ初期リソース設定に対応する初期アンテナポートＰ’を特定し、かつ、特定された初期アンテナポート、ＣＳＩ−ＲＳアグリゲーションリソース設定においてアグリゲーションされたＣＳＩ−ＲＳ初期リソース設定の数Ｋ、ＣＳＩ−ＲＳアグリゲーションリソース設定における第１部分のリソース設定でのＣＳＩ−ＲＳ初期リソース設定の数Ｌ、及び第１密度と第２密度間の関係パラメータＱに応じて検出すべきアンテナアレイにおけるアンテナポートＰを取得するように配置されるポート特定部をさらに備えることができる。上記したように、第１部分のリソース設定において、上記の式（１）及び式（２）によりアンテナポートＰを特定することができる。また、第２部分のリソース設定において、上記の式（３）及び式（４）によりアンテナポートＰを特定することができる。
【００６１】
また、本発明の他の一例示によれば、基地局８００は、第２部分のリソース設定において送信されるアンテナポートのＣＳＩ−ＲＳに対して時間及び周波数上で直交カバー符号化（ｏｒｔｈｏｇｏｎａｌ  ｃｏｖｅｒｉｎｇ  ｃｏｄｅ）を行って符号分割多重を実現し、よってチャネル推定時のパワー利得を改善するように配置される符号化部をさらに備えることができる。例えば、第２部分のリソース設定に含まれる複数のＣＳＩ−ＲＳ初期リソース設定に対して直交カバー符号化を行うことができる。
【００６２】
本発明上記実施例による基地局で、各ＣＳＩ−ＲＳ初期リソース設定に対してアグリゲーションを行い、アグリゲーションされた後のリソース設定において、異なる密度でＣＳＩ−ＲＳを送信する。これにより、無線通信システムは、送信密度を低減することでＣＳＩ−ＲＳに占有される下り制御シグナリングのオーバーヘッドを減少すると共に、ＦＤ−ＭＩＭＯ及び大規模ＭＩＭＯシステムと伝統のＭＩＭＯシステムとの良好な交換性を実現することができる。
【００６３】
また、本発明の他の一例示によれば、実際に基地局に接続される移動局のタイプに応じてリソースアグリゲーションを行う場合、送信部８２０は、無線リソース制御（ＲＲＣ）シグナリングによって、移動局へ前記ＣＳＩ−ＲＳアグリゲーションリソース設定に関するアグリゲーション設定情報を送信することもできる。通信システムにおいて既存のパラメータを使用して少なくとも一部のアグリゲーション設定情報を通知することができる。例えば、アンテナポート数のパラメータ（ａｎｔｅｎｎａＰｏｒｔｓＣｏｕｎｔ）によって、移動局へ前記ＣＳＩ−ＲＳ初期リソース設定に関する情報を送信することができる。
【００６４】
本発明の実施例によれば、基地局によって移動局に対して対応する設置を行うことができる。図９は、本発明実施例による移動局９００のブロック図を示す。図９に示すように、移動局９００は、受信部９１０、ポート特定部９２０及び検出部９３０を備える。この三つの部品以外、移動局９００はその他の部品を備えることもできるが、それらの部品は、本発明実施例の内容と関係ないため、ここでその図示と説明を省略する。また、本発明実施例による移動局９００によって実行される下記操作の詳細は、上記で図７を参照しながら説明した詳細と同じであるため、ここで重複を避けるために同じ詳細に対する重複的な説明を省略する。
【００６５】
受信部９１０は、基地局からＣＳＩ−ＲＳアグリゲーションリソース設定に関するアグリゲーション設定情報を受信することができる。ここで、複数のＣＳＩ−ＲＳ初期リソース設定に対してアグリゲーションを行うことで前記ＣＳＩ−ＲＳアグリゲーションリソース設定が得られる。本発明の一例示によれば、ＣＳＩ−ＲＳアグリゲーションリソース設定は、第１部分のリソース設定及び第２部分のリソース設定を含む。基地局は、ＣＳＩ−ＲＳアグリゲーションリソース設定における第１部分のリソース設定を使用し、第１密度でアンテナアレイにおける第１のアンテナポートのＣＳＩ−ＲＳを送信するとともに、ＣＳＩ−ＲＳアグリゲーションリソース設定における第２部分のリソース設定を使用し、第２密度でアンテナアレイにおける第２のアンテナポートのＣＳＩ−ＲＳを送信することができる。アグリゲーション設定情報には、アグリゲーションされたＣＳＩ−ＲＳ初期リソース設定に関するリソース設定情報、アグリゲーションされたＣＳＩ−ＲＳ初期リソース設定の総数、ＣＳＩ−ＲＳアグリゲーションリソース設定における第１部分のリソース設定に含まれるＣＳＩ−ＲＳ初期リソース設定の数、及び第１密度と第２密度間の関係パラメータを含むことができる。
【００６６】
ポート特定部９２０は、受信されたアグリゲーション設定情報に応じて、検出すべき基地局のアンテナアレイにおけるアンテナポートを特定することができる。本発明の一例示によれば、ＣＳＩ−ＲＳ初期リソース設定に関するリソース設定情報に応じて、前記ＣＳＩ−ＲＳ初期リソース設定に対応する初期アンテナポートを特定することができる。そして、特定された初期アンテナポート、アグリゲーションされたＣＳＩ−ＲＳ初期リソース設定の総数、ＣＳＩ−ＲＳアグリゲーションリソース設定における第１部分のリソース設定に含まれるＣＳＩ−ＲＳ初期リソース設定の数、及び前記第１密度と前記第２密度間の関係パラメータに応じて、検出すべきアンテナアレイにおけるアンテナポートを取得することができる。例えば、上記の式（１）−（４）を使用して検出すべき基地局のアンテナアレイにおけるアンテナポートを取得することができる。そして、検出部９３０は、特定されたアンテナポートに対応するＣＳＩ−ＲＳを検出することができる。
【００６７】
本発明上記実施例によるＣＳＩ検出方法において、比較的少ないアンテナポート（例えば４ポート又は８ポート）を使用してデータ受信を行う移動局は、受信ポリシーを変更することなく、既存のリソース設定を効果的に使用してＣＳＩ−ＲＳを受信することができる。一方、比較的多いアンテナポート（例えば２４ポート、２８ポート又は３２ポート）を使用してデータ受信を行う移動局は、一部の低密度リソース設定を効果的に使用してＣＳＩ−ＲＳを受信することができる。これにより、無線通信システムは、送信密度を低減することでＣＳＩ−ＲＳに占有される下り制御シグナリングのオーバーヘッドを減少すると共に、ＦＤ−ＭＩＭＯ及び大規模ＭＩＭＯシステムと伝統のＭＩＭＯシステムとの良好な交換性を実現することができる。
【００６８】
上記基地局８００及び移動局９００の操作は、ハードウェアによって実現してもよいし、プロセッサにより実行されるソフトウェアモジュールによって実現してもよいし、さらに両方の組み合わせによって実現してもよい。
【００６９】
ソフトウェアモジュールは、いかなるフォーマットの記憶媒体、例えばＲＡＭ（ランダムアクセスメモリ）、フラッシュメモリー、ＲＯＭ（読み取り専用メモリ）、ＥＰＲＯＭ（消去可能なプログラマブルＲＯＭ）、ＥＥＰＲＯＭ（電気的に消去可能なプログラマブルＲＯＭ）、レジスター、ハードディスク、リムーバブルディスク及びＣＤ−ＲＯＭに配置されてもよい。
【００７０】
このような記憶媒体は、プロセッサが当該記憶媒体へ情報を書き込む、あるいは当該記憶媒体から情報を読み取るできるように、プロセッサに接続される。このような記憶媒体は、プロセッサに累積されることもできる。このような記憶媒体及びプロセッサは、ＡＳＩＣに配置されることができる。このようなＡＳＩＣは、基地局８００と移動局９００に配置されることができる。このような記憶媒体及びプロセッサはディスクリート部品として基地局８００と移動局９００に配置されることができる。例えば、プロセッサによって、上記基地局におけるリソース管理部によって実行される操作を実行することができる。また、例えば、プロセッサによって、上記移動局におけるポート特定部と検出部によって実行される操作を実行することができる。
【００７１】
そこで、上記実施例を使用して本発明を詳細に説明したが、当業者であれば、本発明がここで説明した実施例に限らないことは理解すべきである。本発明は、特許請求の範囲によって限定される本発明の範囲を逸脱することなく修正例、変更例として実現することができる。よって、明細書の説明は例示を説明するのみを意図しており、本発明に対してはいかなる制限的な意味がない。
【図１】
2019516327.tif 000003
【図２】
2019516327.tif 000004
【図３】
2019516327.tif 000005
【図４】
2019516327.tif 000006
【図５】
2019516327.tif 000007
【図６】
2019516327.tif 000008
【図７】
2019516327.tif 000009
【図８】
2019516327.tif 000010
【図９】
2019516327.tif 000011
【手続補正書】
【提出日】平成30年12月4日(2018.12.4)
【手続補正１】
【補正対象書類名】明細書
【補正対象項目名】００５２
【補正方法】変更
【補正の内容】
【００５２】
本発明上記実施例によるＣＳＩ検出方法において、比較的少ないアンテナポート（例えば４ポート又は８ポート）を使用してデータ受信を行う移動局は、受信ポリシーを変更することなく、既存のリソース設定を効果的に使用してＣＳＩ−ＲＳを受信することができる。一方、比較的多いアンテナポート（例えば２４ポート、２８ポート又は３２ポート）を使用してデータ受信を行う移動局は、一部の低密度リソース設定を効果的に使用してＣＳＩ−ＲＳを受信することができる。これにより、無線通信システムは、送信密度を低減することでＣＳＩ−ＲＳに占有される下り制御シグナリングのオーバーヘッドを減少すると共に、ＦＤ−ＭＩＭＯ及び大規模ＭＩＭＯシステムと伝統のＭＩＭＯシステムとの良好な交換性を実現することができる。
また、上記の本発明実施例にかかる方法を適用する無線通信システムは、ＬＴＥシステムであってもよいし、他の任意の種類の無線通信システムであってもよい。例えば、ＬＴＥ−Ａ、ＬＴＥ  Ｒｅｌｅａｓｅ  １４、ＬＴＥ  Ｒｅｌｅａｓｅ  １５などのＬＴＥエンハンスメントシステムであってもよいし、又は、ＮＲ（Ｎｅｗ  Ｒａｄｉｏ）システムなどの５Ｇシステムであってもよい。
【国際調査報告】
2019516327.tif 000012
2019516327.tif 000013
2019516327.tif 000014
2019516327.tif 000015